(57)【要約】【課題】本発明の目的は、ユーザ端末の製造時に、表示パネルに欠陥が発生することを抑制することにある。【解決手段】本発明は、ユーザ端末及びその表示パネルに関する。本発明のユーザ端末は、表面に発生するタッチを感知するためのタッチパネルと、タッチパネルの下部に配置され、映像を表示するための表示パネルとを含む。この際、本発明の表示パネルは、それぞれ映像表示のための活性領域及び活性領域の端部領域の遮光領域よりなるガラスプレートと、ガラスプレート間に設けられる液晶層と、ガラスプレートのうちいずれか１つにそれぞれ装着され、液晶層に収容され、且つ液晶層で液晶の流動を支援し、ガラスプレート間の間隔を維持させるスペーサとを含む。また、本発明の表示パネルにおいて、スペーサは、ガラスプレート間において遮光領域に配置され、活性領域から遮光領域に向かう液晶の流動方向を反転させるためのダミースペーサを含む。本発明によれば、ユーザ端末の表示パネルにおいて液晶がさらに円滑に流動し、ガラスプレート間で液晶が均一に分布する。【選択図】図５
2013025313.tif 000002
【特許請求の範囲】
【請求項１】
ユーザ端末に装着される表示パネルにおいて、
それぞれ、映像表示のための活性領域及び前記活性領域の端部領域の遮光領域よりなるガラスプレートと、
前記ガラスプレート間に液晶が充填されて形成された液晶層と、
前記ガラスプレートのうちいずれか１つにそれぞれ装着され、前記液晶層に収容され、且つ前記液晶層において前記液晶の流動を支援し、前記ガラスプレート間の間隔を維持させるスペーサと、を含み、
前記スペーサは、
前記ガラスプレート間において前記遮光領域に配置され、前記活性領域から前記遮光領域に向かう前記液晶の流動方向を反転させるためのダミースペーサを含むことを特徴とする表示パネル。
【請求項２】
前記ガラスプレート間において前記遮光領域に介在し、前記ガラスプレート間に前記液晶層のための密閉空間を形成するシーリング部材をさらに含むことを特徴とする請求項１に記載の表示パネル。
【請求項３】
前記スペーサは、
互いに異なるサイズを有するメインスペーサ及びサブスペーサよりなることを特徴とする請求項１に記載の表示パネル。
【請求項４】
前記メインスペーサ及び前記サブスペーサは、
それぞれに対応してあらかじめ定められた密度に配置されることを特徴とする請求項３に記載の表示パネル。
【請求項５】
前記メインスペーサは、
前記活性領域または前記遮光領域のうち少なくともいずれか１つを構成する多数個のドットに対応し、９／３６０〜１１／３６０のうちいずれか１つの値に該当する密度に配置され、
前記サブスペーサは、
前記ドットに対応し、２９７／３６０〜１のうちいずれか１つの値に該当する密度に配置されることを特徴とする請求項４に記載の表示パネル。
【請求項６】
前記メインスペーサは、
３．３５μｍ〜３．７５μｍのうちいずれか１つの値に該当する高さを有するサイズで具現され、
前記サブスペーサは、
２．９０μｍ〜３．３０μｍのうちいずれか１つの値に該当する高さを有するサイズで具現されることを特徴とする請求項３に記載の表示パネル。
【請求項７】
前記液晶は、
前記液晶層において−６％〜−７％のうちいずれか１つの値に該当する量よりなることを特徴とする請求項３に記載の表示パネル。
【請求項８】
ユーザ端末において、
表面に発生するタッチを感知するためのタッチパネルと、
前記タッチパネルの下部面に配置され、それぞれ、映像表示のための活性領域及び前記活性領域の端部領域の遮光領域よりなるガラスプレートと、前記ガラスプレート間に設けられる液晶層と、前記ガラスプレートのうちいずれか１つにそれぞれ装着され、前記液晶層に収容され、且つ前記液晶層において液晶の流動を支援し、前記ガラスプレート間の間隔を維持するスペーサと、を含む表示パネルと、を備え、
前記スペーサは、
前記ガラスプレート間において前記遮光領域に配置され、前記活性領域から前記遮光領域に向かう前記液晶の流動方向を反転させるためのダミースペーサを含むことを特徴とするユーザ端末。
【請求項９】
前記タッチパネルと前記表示パネルとの間に介在し、前記タッチパネルと前記表示パネルとを密着させる接着層をさらに備えることを特徴とする請求項８に記載のユーザ端末。
【請求項１０】
前記表示パネルは、
前記ガラスプレート間において前記遮光領域に介在し、前記ガラスプレート間に前記液晶層のための密閉空間を形成するシーリング部材をさらに含むことを特徴とする請求項８に記載のユーザ端末。
【請求項１１】
前記スペーサは、
互いに異なるサイズを有するメインスペーサ及びサブスペーサよりなることを特徴とする請求項８に記載のユーザ端末。
【請求項１２】
前記メインスペーサ及び前記サブスペーサは、
それぞれに対応してあらかじめ定められた密度に配置されることを特徴とする請求項１１に記載のユーザ端末。
【請求項１３】
前記メインスペーサは、
前記活性領域または前記遮光領域のうち少なくともいずれか１つを構成する多数個のドットに対応し、９／３６０〜１１／３６０のうちいずれか１つの値に該当する密度に配置され、
前記サブスペーサは、
前記ドットに対応し、２９７／３６０〜１のうちいずれか１つの値に該当する密度に配置されることを特徴とする請求項１２に記載のユーザ端末。
【請求項１４】
前記メインスペーサは、
３．３５μｍ〜３．７５μｍのうちいずれか１つの値に該当する高さを有するサイズで具現され、
前記サブスペーサは、
２．９０μｍ〜３．３０μｍのうちいずれか１つの値に該当する高さを有するサイズで具現されることを特徴とする請求項１１に記載のユーザ端末。
【請求項１５】
前記液晶は、
前記液晶層において−６％〜−７％のうちいずれか１つの値に該当する量よりなることを特徴とする請求項１１に記載のユーザ端末。
【発明の詳細な説明】
【技術分野】
【０００１】
本発明は、ユーザ端末に関し、特にユーザ端末の表示パネルに関する。
【背景技術】
【０００２】
一般的に、ユーザ端末は、多様な機能が付加され、複合的な機能を行う。この際、ユーザ端末は、各種機能を行うためのキーボード（ｋｅｙｂｏａｒｄ）やマウス（ｍｏｕｓｅ）などの入力部を備えているが、携帯が容易ではない問題点がある。これにより、上記問題点を克服するために、現在のユーザ端末は、キーボードやマウスの代わりに、タッチスクリーン（ｔｏｕｃｈ  ｓｃｒｅｅｎ）を備えている。この際、タッチスクリーンは、映像を表示するための表示パネル（ｄｉｓｐｌａｙ  ｐａｎｅｌ）と、表示パネルに装着され、表面に発生するユーザのタッチ（ｔｏｕｃｈ）動作を感知するためのタッチパネル（Ｔｏｕｃｈ  Ｓｃｒｅｅｎ  Ｐａｎｅｌ；ＴＳＰ）とを備える。すなわちユーザ端末は、タッチスクリーンを通じて映像を表示し、ユーザのタッチ動作を感知し、各種機能を行う。ここで、表示パネルは、２つのガラスプレート（ｇｌａｓｓ  ｐｌａｔｅ）の間に液晶が注入された構造の液晶表示パネル（Ｌｉｑｕｉｄ  Ｃｒｙｓｔａｌ  Ｄｉｓｐｌａｙ）によって具現することができる。
【０００３】
ところが、上記のようなユーザ端末において表示パネルを液晶表示パネルで具現するとき、表示パネルに各種欠陥が発生する問題点がある。例えば、表示パネル上にタッチパネルを密着させるためのラミネーション（ｌａｍｉｎａｔｉｏｎ）工程時に、表示パネルに印加される圧力によってガラスプレート間で端部領域に液晶が密集する。そのため、表示パネルの端部領域で黄変現象が発生する。そして、表示パネルのガラスプレート間で液晶が不均一に分布する。これにより、ガラスプレート間に空きスペースが形成される。これにより、表示パネルが外部の衝撃に弱くなる。
【先行技術文献】
【特許文献】
【０００４】
【特許文献１】特許第４６１９７３４号公報
【特許文献２】特開２００２−３４１３５４号公報
【発明の概要】
【発明が解決しようとする課題】
【０００５】
したがって、本発明の目的は、ユーザ端末の製造時に、表示パネルに欠陥が発生することを抑制することにある。すなわち本発明は、表示パネルのガラスプレート間において液晶の流動を円滑に行うためのものである。また、本発明は、表示パネルのガラスプレート間において液晶を均一に分布させるためのものである。
【課題を解決するための手段】
【０００６】
上記目的を達成するために、本発明によるユーザ端末に装着される表示パネルは、それぞれ、映像表示のための活性領域及び前記活性領域の端部領域の遮光領域よりなるガラスプレートと、前記ガラスプレート間に液晶が充填されて形成された液晶層と、前記ガラスプレートのうちいずれか１つにそれぞれ装着され、前記液晶層に収容され、且つ前記液晶層において前記液晶の流動を支援し、前記ガラスプレート間の間隔を維持させるスペーサと、を含むことを特徴とする。
【０００７】
この際、本発明による表示パネルにおいて、前記スペーサは、前記ガラスプレート間において前記遮光領域に配置され、前記活性領域から前記遮光領域に向かう前記液晶の流動方向を反転させるためのダミースペーサを含む。
【０００８】
また、本発明による表示パネルは、前記ガラスプレート間において前記遮光領域に介在し、前記ガラスプレート間に前記液晶層のための密閉空間を形成するシーリング部材をさらに含む。
【０００９】
また、本発明によるユーザ端末は、表面に発生するタッチを感知するためのタッチパネルと、前記タッチパネルの下部面に配置され、それぞれ映像表示のための活性領域と前記活性領域の端部領域の遮光領域よりなるガラスプレート、前記ガラスプレート間に液晶が充填されて形成された液晶層、及び前記ガラスプレートのうちいずれか１つにそれぞれ装着され、前記液晶層に収容され、且つ前記液晶層において前記液晶の流動を支援し、前記ガラスプレート間の間隔を維持させるスペーサを含む表示パネルと、を備えることを特徴とする。
【００１０】
この際、本発明によるユーザ端末において、前記スペーサは、前記ガラスプレート間において前記遮光領域に配置され、前記活性領域から前記遮光領域に向かう前記液晶の流動方向を反転させるためのダミースペーサを含む。
【００１１】
また、本発明によるユーザ端末において、前記表示パネルは、前記ガラスプレート間において前記遮光領域に介在し、前記ガラスプレート間に前記液晶層のための密閉空間を形成するシーリング部材をさらに含む。
【発明の効果】
【００１２】
本発明によるユーザ端末及びその表示パネルは、液晶がより円滑に流動する。そのため、表示パネルのガラスプレート間において液晶が均一に分布する。言い換えれば、表示パネルに圧力が印加されても、ガラスプレート間の特定領域に液晶が密集しない。これにより、表示パネルの端部領域で黄変現象が発生しない。同時に、表示パネルのガラスプレート間に空きスペースが形成されない。これにより、表示パネルが外部の衝撃に強い。これにより、ユーザ端末の製造時に、表示パネルに欠陥が発生することが抑制される。
【図面の簡単な説明】
【００１３】
【図１】本発明の実施例によるユーザ端末を示す斜視図である。
【図２】本発明の実施例によるユーザ端末を分解して示す斜視図である。
【図３】本発明の実施例によるユーザ端末の一例を示す断面図である。
【図４】本発明の実施例によるユーザ端末の他の例を示す断面図である。
【図５】本発明の実施例による表示パネルを示す断面図である。
【図６】本発明の実施例による表示パネルを示す平面図である。
【発明を実施するための形態】
【００１４】
以下、添付の図面を参照して本発明の好ましい実施例を詳しく説明する。この際、添付の図面において同一の構成要素は、できるだけ同一の符号で示していることに留意しなければならない。また、本発明の要旨を不明にすることができる公知機能及び構成に対する詳細な説明は省略する。
【００１５】
図１は、本発明の実施例によるユーザ端末を示す斜視図である。図２は、本発明の実施例によるユーザ端末を分解して示す斜視図である。この際、本実施例においてユーザ端末が携帯電話機である場合を仮定して説明する。
【００１６】
図１及び図２を参照すれば、本発明の実施例によるユーザ端末１００は、タッチパネル１１０、カバーシャーシー（ｃｏｖｅｒ  ｃｈａｓｓｉｓ）１２０、表示パネル１３０及びパネル固定体（ｐａｎｅｌ  ｂｒａｃｋｅｔ）１４０を含む。
【００１７】
タッチパネル１１０は、ユーザ端末１００の内部構成を保護する機能を行う。また、タッチパネル１１０は、表面に発生するタッチを感知する機能を行う。この際、タッチパネル１１０は、抵抗膜タイプ（Ｒｅｓｉｓｔｉｖｅ  Ｔｙｐｅ）または静電容量タイプ（Ｃａｐａｃｉｔｉｖｅ  Ｔｙｐｅ）のような感圧式で具現することができる。
【００１８】
カバーシャーシー１２０は、タッチパネル１１０とともに、ユーザ端末１００の内部構成を保護する機能を行う。このようなカバーシャーシー１２０は、ユーザ端末１００において少なくとも１つの方向に沿ってユーザ端末１００の内部構成を保護するための形態で具現される。ここで、カバーシャーシー１２０は、合成樹脂よりなることができ、例えばステンレススチールまたはチタン（Ｔｉ）などのような金属材質よりなることもできる。そして、カバーシャーシー１２０は、カバーウィンドウ１１０を一方向に収容するための収容ホール１２１が形成された構造で具現される。この際、カバーシャーシー１２０は、収容ホール１２１の端部の領域から中央領域に突出し、カバーウィンドウ１１０を保持するための保持鍔（ｒｅｃｅｉｐｔ  ｓｔｏｐｐｅｒ）１２３を備えることができる。ここで、保持鍔１２３は、収容ホール１２１でタッチパネル１１０を収容する方向と反対方向にタッチパネル１１０を支持する。
【００１９】
表示パネル１３０は、ユーザ端末１００の内部構成であって、ユーザ端末１００において実質的な動作を行う。この際、表示パネル１３０は、映像を表示する機能を行う。このような表示パネル１３０は、カバーシャーシー１２０の収容ホール１２１でタッチパネル１１０を収容する方向と反対方向にカバーシャーシー１２０の収容ホール１２１に収容される。そして、表示パネル１３０は、タッチパネル１１０及びカバーシャーシー１２０によって保護される。この際、表示パネル１３０は、液晶表示パネル（ＬＣＤ）とバックライトユニット（Ｂａｃｋ  Ｌｉｇｈｔ  Ｕｎｉｔ；ＢＬＵ）よりなることができる。
【００２０】
パネル固定体１４０は、ユーザ端末１００の内部構成を固定させる機能を行う。このようなパネル固定体１４０は、表示パネル１３０を保持し、表示パネル１３０を固定させる。そして、パネル固定体１４０は、タッチパネル１１０及びカバーシャーシー１２０とともに、ユーザ端末１００の内部構成を保護する機能を行う。この際、パネル固定体１４０は、ユーザ端末１００において少なくとも１つの方向にユーザ端末１００の内部構成を保護するための形態で具現される。すなわちパネル固定体１４０は、端部領域を通じてカバーシャーシー１２０に締結され、内部空間を形成する。
【００２１】
これにより、ユーザ端末１００において、タッチパネル１１０、カバーシャーシー１２０及びパネル固定体１４０によって形成される内部空間に表示パネル１３０が収納されて保護される。
【００２２】
図３は、本発明の実施例によるユーザ端末の一例を示す断面図である。
【００２３】
図３を参照すれば、本実施例のユーザ端末１００において、タッチパネル１１０は、パネルアセンブリーで具現される。すなわちタッチパネル１１０は、カバーウィンドウ及び電極シートよりなる。カバーウィンドウは、ユーザ端末１００において外部に露出する。この際、カバーウィンドウの表面にタッチのための接触を発生させることができる。このようなカバーウィンドウは、ユーザ端末１００の内部に発生する光をユーザ端末１００の外部に透過させる。そして、カバーウィンドウは、ユーザ端末１００の外部から到逹する光をユーザ端末１００の内部に透過させることができる。電極シートは、カバーウィンドウの下部面に接着される。このような電極シートにおいて、カバーウィンドウ表面の接触によって物理量、例えば抵抗、静電容量などが変化する。ここで、電極シートは、電気伝導性を有する透明導電膜であって、例えば、インジウム錫酸化物（Ｉｎｄｉｕｍ  Ｔｉｎ  Ｏｘｉｄｅ；ＩＴＯ）よりなることができる。すなわちタッチパネル１１０は、電極シートにおいて物理量の変化に従ってタッチを感知する。本実施例において多くの数の電極シートが提供され得る。
【００２４】
また、本実施例のユーザ端末１００において、表示パネル１３０は、光ガイドパネル１３１、ガラスパネル１３３及びパネル支持体１３５を備える。この際、表示パネル１３０は、パネル支持体１３５、光ガイドパネル１３１及びガラスパネル１３３が順次に積層されて具現される。
【００２５】
光ガイドパネル１３１は、実質的に内部光を出力して映像を表示する。このような光ガイドパネル１３１は、光源及び導光板よりなる。光源は、光を生成して出力する。この際、光源は、冷陰極光源（Ｃｏｌｄ  Ｃａｔｈｏｄｅ  Ｆｌｕｏｒｅｓｃｅｎｔ  Ｌａｍｐ；ＣＣＦＬ）または熱陰極光源（Ｈｏｔ  Ｆｌｕｏｒｅｓｃｅｎｔ  Ｌａｍｐ；ＨＣＦＬ）などの線光源とすることができ、発光ダイオード（Ｌｉｇｈｔ  Ｅｍｉｔｔｉｎｇ  Ｄｉｏｄｅ；ＬＥＤ）などの点光源とすることもできる。導光板は、光源から光を収容し、ガラスパネル１３３に伝達する。この際、導光板は、アクリルのようなプラスチック系の透明な物質よりなることができる。
【００２６】
ガラスパネル１３３は、表示パネル１３０において光ガイドパネル１３１上に装着される。そして、ガラスパネル１３３は、光ガイドパネル１３１から出力される光を収容し、映像を提供する。この際、ガラスパネル１３３は、液晶表示パネル（ＬＣＤ）であることができる。
【００２７】
パネル支持体１３５は、光ガイドパネル１３１の下部面に装着され、光ガイドパネル１３１を支持する。このようなパネル支持体１３５は、表示パネル１３０の強度補完のための機能を行う。
【００２８】
本例によれば、ユーザ端末１００においてタッチパネル１１０と表示パネル１３０が互い密着せず、タッチパネル１１０と表示パネル１３０との間に空間が形成される。これにより、タッチパネル１１０と表示パネル１３０との間に空気が充填される場合があり、異物が流入する場合もある。そのため、表示パネル１３０を介した映像の視認性が低下する場合がある。すなわちユーザ端末１００において表示パネル１３０の表示性能が劣化する場合がある。
【００２９】
図４は、本発明の実施例によるユーザ端末の他の例を示す断面図である。
【００３０】
図４を参照すれば、本実施例のユーザ端末１００において、タッチパネル１１０は、パネルアセンブリー１１１と接着層１１３を備える。
【００３１】
パネルアセンブリー１１１は、表面に発生するタッチを感知する機能を行う。このようなパネルアセンブリー１１１は、カバーウィンドウ、接着シート及び電極シートよりなることができる。カバーウィンドウは、ユーザ端末１００において外部に露出する。この際、カバーウィンドウの表面でタッチのための接触が発生し得る。このようなカバーウィンドウは、ユーザ端末１００の内部に発生する光をユーザ端末１００の外部に透過させる。そして、カバーウィンドウは、ユーザ端末１００の外部から到逹する光をユーザ端末１００の内部に透過させることができる。接着シートは、カバーウィンドウの下部面に接着される。ここで、接着シートは、例えば光学的接着剤（Ｏｐｔｉｃａｌ  Ｃｌｅａｒ  Ａｄｈｅｓｉｖｅ；ＯＣＡ）よりなることができる。電極シートは、接着シートの下部面に接着される。このような電極シートにおいて、カバーウィンドウ表面の接触によって物理量、例えば抵抗、静電容量などが変化する。ここで、電極シートは、電気伝導性を有する透明導電膜であって、例えばインジウム錫酸化物よりなることができる。すなわちパネルアセンブリー１１１は、電極シートにおいて物理量の変化に従ってタッチを感知する。
【００３２】
接着層１１３は、タッチパネル１１０においてパネルアセンブリー１１１の下部面に接着される。このような接着層１１３は、パネルアセンブリー１１１と表示パネル１３０との間に介在し、タッチパネル１１０と表示パネル１３０とを相互密着させる。ここで、接着層１１３は、例えば、光学的接着剤（ＯＣＡ）または光学弾性樹脂（Ｓｕｐｅｒ  Ｖｉｅｗ  Ｒｅｓｉｎ；ＳＶＲ）よりなることができる。
【００３３】
本例によれば、接着層１１３を介してタッチパネル１１０と表示パネル１３０が相互密着する。すなわちユーザ端末１００の製造時に、ラミネーション工程により接着層１１３を介してタッチパネル１１０と表示パネル１３０とが相互接着される。これにより、タッチパネル１１０と表示パネル１３０との間に空間が形成されない。そのため、表示パネル１３０を介した映像の視認性を向上させることができる。すなわちユーザ端末１００において表示パネル１３０の表示性能を改善することができる。
【００３４】
図５は、本発明の実施例による表示パネルを示す断面図である。また、図６は、本発明の実施例による表示パネルを示す平面図である。
【００３５】
図５及び図６を参照すれば、本実施例の表示パネル１３０は、活性領域（Ａｃｔｉｖｅ  Ａｒｅａ）１３７と遮光領域（Ｂｌａｃｋ  Ｍａｔｒｉｘ）１３９に区分される。活性領域１３７は、表示パネル１３０において実質的に映像を表示する。この際、活性領域１３７は、表示パネル１３０において中央領域に該当する。遮光領域１３９は、表示パネル１３０で光を遮断し、活性領域１３７を画定する。この際、遮光領域１３９は、表示パネル１３０において活性領域１３７の端部領域に該当する。このような表示パネル１３０において、ガラスパネル１３３は、下部偏光フィルム１５１、下部ガラスプレート１５３、上部ガラスプレート１５５、上部偏光フィルム１５７、シーリング部材（ｓｅａｌｉｎｇ  ｍｅｍｂｅｒ）１５９、液晶層（ｌｉｑｕｉｄ  ｃｒｙｓｔａｌ  ｌａｙｅｒ）１６１及びスペーサ（ｐｈｏｔｏ  ｓｐａｃｅｒ）１６３を備える。
【００３６】
下部偏光フィルム１５１は、光ガイドパネル１３１の上部面に配置される。この際、下部偏光フィルム１５１は、光ガイドパネル１３１から出力される光のうち特定の偏光だけを通過させ、残りは、吸収または遮断する。
【００３７】
下部ガラスプレート１５３は、下部偏光フィルム１５１の上部面に配置される。この際、下部ガラスプレート１５３は、光ガイドパネル１３１から出力される光の光透過度を変化させる。このために、下部ガラスプレート１５３は、液晶層１６１において液晶の配列を変化させ、下部偏光フィルム１５１を通過した偏光を所望の形状に制御する。ここで、下部ガラスプレート１５３は、例えば、薄膜トランジスター（Ｔｈｉｎ  Ｆｉｒｍ  Ｔｒａｎｓｉｓｔｏｒ；ＴＦＴ）基板で具現することができる。
【００３８】
上部ガラスプレート１５５は、下部ガラスプレート１５３の上部面に配置される。この際、上部ガラスプレート１５５は、液晶層１６１の液晶を通過した光を一定の色で提供する。ここで、上部ガラスプレート１５５は、例えば、カラーフィルター（Ｃｏｌｏｒ  Ｆｉｌｔｅｒ；Ｃ／Ｆ）基板で具現することができる。すなわち上部ガラスプレート１５５は、光を一定の色に発現されるようにするための多数個のＲＧＢ（Ｒｅｄ、Ｇｒｅｅｎ、Ｂｌｕｅ）画素、すなわちレッド画素、グリーン画素及びブルー画素よりなることができる。
【００３９】
上部偏光フィルム１５７は、上部ガラスプレート１５５の上部面に配置される。この際、上部偏光フィルム１５７は、上部ガラスプレート１５５から提供される光を通過させる。そして、上部偏光フィルム１５７は、ユーザ端末１００の外部から到逹する光のうち特定の偏光だけを通過させ、残りは、吸収または遮断させる。
【００４０】
シーリング部材１５９は、下部ガラスプレート１５３と上部ガラスプレート１５５との間に介在する。これにより、シーリング部材１５９は、下部ガラスプレート１５３と上部ガラスプレート１５５を相互から支持する。そして、シーリング部材１５９は、表示パネル１３０において遮光領域１３９に位置するように配置される。この際、シーリング部材１５９は、ガラスパネル１３３の端部領域を取り囲む構造よりなる。これにより、シーリング部材１５９は、下部ガラスプレート１５３と上部ガラスプレート１５５との間に密閉された空間を形成する。ここで、シーリング部材１５９は、例えば、ガラスファイバー（Ｇｌａｓｓ  Ｆｉｂｅｒ；Ｇ／Ｆ）よりなることができる。
【００４１】
液晶層１６１は、下部ガラスプレート１５３と上部ガラスプレート１５５との間に形成される。すなわち液晶層１６１は、シーリング部材１５９によって下部ガラスプレート１５３と上部ガラスプレート１５５との間に形成される密閉された空間に液晶が充填されることによって形成される。好ましくは、液晶層１６１において液晶が−６％〜−７％のうちいずれか１つの値に該当する量で行われなければならない。この際、下部ガラスプレート１５３及び上部ガラスプレート１５５にそれぞれ電圧を印加するとき、下部ガラスプレート１５３と上部ガラスプレート１５５との間で液晶層１６１に電場が形成される。そして、電場の強さによって、液晶層１６１において液晶の配列が変化し、特定の波長を有する光を反射させる。
【００４２】
スペーサ１６３は、下部ガラスプレート１５３または上部ガラスプレート１５５のうちいずれか１つにそれぞれ装着される。そして、スペーサ１６３は、下部ガラスプレート１５３と上部ガラスプレート１５５との間に配置される。このようなスペーサ１６３は、下部ガラスプレート１５３と上部ガラスプレート１５５との間隔を維持させる。すなわち表示パネル１３０の外部で圧力を印加するとき、スペーサ１６３が下部ガラスプレート１５３と上部ガラスプレート１５５との間隔をスペーサ１６３の高さに該当する値以上に維持する。また、スペーサ１６３は、液晶層１６１において液晶の流動を支援する。すなわち表示パネル１３０の外部で圧力を印加するとき、スペーサ１６３が下部ガラスプレート１５３と上部ガラスプレート１５５との間で液晶の流動をより円滑にする。ここで、スペーサ１６３は、例えば、感光性樹脂系の物質よりなることができる。このようなスペーサ１６３は、メインスペーサ（ｍａｉｎ  ｐｈｏｔｏ  ｓｐａｃｅｒ）１６５、サブスペーサ（ｓｕｂ  ｐｈｏｔｏ  ｓｐａｃｅｒ）１６７及びダミースペーサ（ｄｕｍｍｙ  ｐｈｏｔｏ  ｓｐａｃｅｒ）１６９を含む。
【００４３】
メインスペーサ１６５及びサブスペーサ１６７は、活性領域１３７に配列される。そして、メインスペーサ１６５及びサブスペーサ１６７は、液晶層１６１に収容されている。これにより、メインスペーサ１６５及びサブスペーサ１６７は、活性領域１３７内で液晶の流動を支援する。ここで、メインスペーサ１６５がレッド画素及びグリーン画素に対応して配置され、サブスペーサ１６７がブルー画素に対応して配置されることができる。
【００４４】
この際、メインスペーサ１６５及びサブスペーサ１６７は、互いに異なるサイズよりなる。すなわちメインスペーサ１６５は、３．３５μｍ〜３．７５μｍのうちいずれか１つの値に該当する高さを有するサイズで具現される。好ましくは、メインスペーサ１６５は、３．５５μｍに該当する高さを有するサイズで具現されなければならない。そして、サブスペーサ１６７は、２．９０μｍ〜３．３０μｍのうちいずれか１つの値に該当する高さを有するサイズで具現される。好ましくは、サブスペーサ１６７は、３．１０μｍに該当する高さを有するサイズで具現されなければならない。または、好ましくは、メインスペーサ１６５及びサブスペーサ１６７は、０．４５μｍに該当する高さの差を有するようにそれぞれのサイズで具現されなければならない。また、メインスペーサ１６５及びサブスペーサ１６７は、活性領域１３７においてそれぞれに対応してあらかじめ定められた密度に配置される。すなわちメインスペーサ１６５は、活性領域１３７を構成する多数個のドットに対応し、９／３６０〜１１／３６０のうちいずれか１つの値に該当する密度に配置される。好ましくは、メインスペーサ１６５は、活性領域１３７のドットに対応し、１／３６に該当する密度に配置されなければならない。そして、サブスペーサ１６７は、活性領域１３７を構成する多数個のドットに対応し、２９７／３６０〜１のうちいずれか１つの値に該当する密度に配置される。好ましくは、サブスペーサ１６７は、活性領域１３７のドットに対応し、３３／３６に該当する密度に配置されなければならない。ここで、それぞれのドットは、それぞれのＲＧＢ画素に対応することができる。
【００４５】
ダミースペーサ１６９は、シーリング部材１５９に隣接して遮光領域１３９に配列される。そして、ダミースペーサ１６９は、液晶層１６１に収容されている。これにより、ダミースペーサ１６９は、シーリング部材１５９とともに、遮光領域１３９内で液晶の流動を支援する。すなわちダミースペーサ１６９は、活性領域１３７から遮光領域１３９に向かう液晶の流動方向を反転させる。言い換えれば、活性領域１３７から遮光領域１３９に液晶が流動するとき、ダミースペーサ１６９らが液晶の流動方向を転換させて、遮光領域１３９から活性領域１３７に液晶を流動させる。
【００４６】
この際、ダミースペーサ１６９は、サイズによってメインダミースペーサとサブダミースペーサに区分される。ここで、メインダミースペーサは、３．３５μｍ〜３．７５μｍのうちいずれか１つの値に該当する高さを有するサイズで具現される。好ましくは、メインダミースペーサは、３．５５μｍに該当する高さを有するサイズで具現されなければならない。そして、サブダミースペーサは、２．９０μｍ〜３．３０μｍのうちいずれか１つの値に該当する高さを有するサイズで具現される。好ましくは、サブダミースペーサは、３．１０μｍに該当する高さを有するサイズで具現されなければならない。または、好ましくは、メインダミースペーサ及びサブダミースペーサは、０．４５μｍに該当する高さの差を有するようにそれぞれのサイズで具現されなければならない。また、メインダミースペーサ及びサブダミースペーサは、遮光領域１３９においてそれぞれに対応してあらかじめ定められた密度に配置される。すなわちメインダミースペーサは、遮光領域１３９を構成する多数個のドットに対応し、９／３６０〜１１／３６０のうちいずれか１つの値に該当する密度に配置される。好ましくは、メインダミースペーサは、遮光領域１３９のドットに対応し、１／３６に該当する密度に配置されなければならない。そして、サブダミースペーサは、遮光領域１３９を構成する多数個のドットに対応し、２９７／３６０〜１のうちいずれか１つの値に該当する密度に配置される。好ましくは、サブダミースペーサは、遮光領域１３９のドットに対応し、３３／３６に該当する密度に配置されなければならない。
【００４７】
本実施例によれば、スペーサ１６３が下部ガラスプレート１５３と上部ガラスプレート１５５との間で液晶の流動をさらに円滑にする。すなわち活性領域１３７において、メインスペーサ１６５及びサブスペーサ１６７が液晶層１６１に収容され、液晶の流動を支援する。この際、メインスペーサ１６５及びサブスペーサ１６７は、活性領域１３７内で液晶の流動を支援する。そして、遮光領域１３９において、ダミースペーサ１６９が液晶層１６１に収容され、シーリング部材１５９とともに、液晶の流動を支援する。この際、ダミースペーサ１６９は、活性領域１３７から遮光領域１３９に向かう液晶の流動方向を反転させる。言い換えれば、スペーサ１６３が下部ガラスプレート１５３と上部ガラスプレート１５５との間で液晶を均一に分布させる。
【００４８】
一方、前述した実施例において、表示パネル１３０が液晶表示パネル（ＬＣＤ）とバックライトユニット（ＢＬＵ）よりなる例を開示したが、これに限定されるものではない。すなわち表示パネル１３０がバックライトユニットを備えないとしても、表示パネル１３０が液晶表示パネルを備えることによって本発明を具現可能である。言い換えれば、表示パネル１３０で光を生成し、映像を表示する発光型だけでなく、表示パネル１３０が外部から到逹する光を反射し、映像を表示するための反射型よりなる場合にも、本発明を具現することができる。
【００４９】
本発明によれば、ユーザ端末１００の表示パネル１３０において液晶がさらに円滑に流動する。そのため、表示パネル１３０の下部ガラスプレート１５３と上部ガラスプレート１５５との間で液晶が均一に分布する。言い換えれば、表示パネル１３０に圧力が印加されても、下部ガラスプレート１５３と上部ガラスプレート１５５との間の特定の領域に液晶が密集しない。これにより、表示パネル１３０の端部領域で黄変現象が発生しない。さらに、表示パネル１３０の下部ガラスプレート１５３と上部ガラスプレート１５５との間に空きスペースが形成されない。これにより、表示パネル１３０が外部の衝撃に強い。これにより、ユーザ端末１００の製造時に、表示パネル１３０に欠陥が発生することが抑制される。
【００５０】
なお、本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であることは、本発明が属する技術分野における通常の知識を有する者に自明である。
【符号の説明】
【００５１】
１００  ユーザ端末
１１０  タッチパネル
１１１  パネルアセンブリー
１１３  接着層
１２０  カバーシャーシー
１２１  収容ホール
１２３  保持鍔
１３０  表示パネル
１３１  光ガイドパネル
１３３  ガラスパネル
１３５  パネル支持体
１３７  活性領域
１３９  遮光領域
１４０  パネル固定体
１５１  下部偏光フィルム
１５３  下部ガラスプレート
１５５  上部ガラスプレート
１５７  上部偏光フィルム
１５９  シーリング部材
１６１  液晶層
１６３  スペーサ
１６５  メインスペーサ
１６７  サブスペーサ
１６９  ダミースペーサ
【図１】
2013025313.tif 000003
【図２】
2013025313.tif 000004
【図３】
2013025313.tif 000005
【図４】
2013025313.tif 000006
【図５】
2013025313.tif 000007
【図６】
2013025313.tif 000008